【手続補正書】
【提出日】平成17年4月7日(2005.4.7)
【手続補正１】
【補正対象書類名】明細書
【補正対象項目名】全文
【補正方法】変更
【補正の内容】
【書類名】      明細書
【発明の名称】  画像表示装置、画像信号生成装置、画像表示システム、画像表示方法、画像信号生成方法、および画像表示制御方法
【特許請求の範囲】
【請求項１】  親画像内の任意の領域に選択画像を表示する画像表示装置であって、前記親画像を表す画像信号のうち前記選択画像が表示される前記領域に対応する部分に所定の画像情報を有する選択画像領域信号を付加した親画像信号が入力される入力部と、前記入力部に入力された前記親画像信号から前記選択画像領域信号を検出することにより前記選択画像を表示する前記領域を特定する選択画像領域検出手段と、
前記選択画像領域検出手段により特定された前記領域に基づいて前記親画像信号に含まれる前記選択画像領域信号を前記選択画像を表す画像信号で置き換える画像合成手段と、
前記画像合成手段の出力に基づいて前記親画像内に前記選択画像を表示する画像表示手段とを備えたことを特徴とする画像表示装置。
【請求項２】  選択画像領域信号は所定の色情報を有する画像信号であることを特徴とする請求項１に記載の画像表示装置。
【請求項３】  選択画像を表す画像信号の入力が無い場合に、親画像信号に含まれる選択画像領域信号を所定の画像信号で置き換える手段をさらに備えたことを特徴とする請求項１または２に記載の画像表示装置。
【請求項４】  選択画像領域信号の画像情報に基づいて複数の画像信号から選択画像を表す画像信号を選択する手段をさらに備えたことを特徴とする請求項１〜３のいずれか１項に記載の画像表示装置。
【請求項５】  親画像信号が互いに異なる画像情報を有する複数の選択画像領域信号を含む場合、画像合成手段により各選択画像領域信号を複数の選択画像を表す各画像信号で置き換えることにより親画像内に複数の前記選択画像を表示することを特徴とする請求項１〜４のいずれか１項に記載の画像表示装置。
【請求項６】  親画像信号が選択画像および親画像の表示状態の制御に関するインデックス信号を含む場合に、前記インデックス信号を検出し、検出された前記インデックス信号によって表される制御情報に基づいて前記選択画像および前記親画像の表示状態を制御する表示制御手段をさらに備えたことを特徴とする請求項１〜５のいずれか１項に記載の画像表示装置。
【請求項７】  インデックス信号は親画像を構成する一部の画素の階調により表示状態の制御情報を表すことを特徴とする請求項６に記載の画像表示装置。
【請求項８】  インデックス信号が表示状態の制御コマンドおよび前記制御コマンドに対応する制御値を含むことを特徴とする請求項６または７に記載の画像表示装置。
【請求項９】  画像表示装置に表示される親画像内の任意の領域に選択画像を表示するための画像信号生成装置であって、
前記親画像内に前記選択画像を表示する前記領域を任意に設定する設定手段と、
前記親画像を表す画像信号のうち前記設定手段により設定された前記領域に対応する部分に所定の画像情報を有する選択画像領域信号を付加した親画像信号を生成する選択画像領域発生手段とを備え、
前記親画像信号を前記画像表示装置に出力するように構成したことを特徴とする画像信号生成装置。
【請求項１０】  選択画像領域信号は所定の色情報を有する画像信号であることを特徴とする請求項９に記載の画像信号生成装置。
【請求項１１】  設定手段により親画像内に互いに異なる複数の選択画像を表示する領域が設定された場合、選択画像領域発生手段が前記親画像を表す画像信号のうち前記設定手段により設定された各領域に対応する部分に互いに異なる画像情報を有する選択画像領域信号を付加することを特徴とする請求項９または１０に記載の画像信号生成装置。
【請求項１２】  画像表示装置側において親画像および選択画像の表示状態を制御するためのインデックス信号を生成し、親画像信号の一部を前記インデックス信号で置き換えて出力するインデックス信号発生手段をさらに備えたことを特徴とする請求項９〜１１のいずれか１項に記載の画像信号生成装置。
【請求項１３】  インデックス信号は親画像を構成する一部の画素の階調により表示状態の制御情報を表すことを特徴とする請求項１２に記載の画像信号生成装置。
【請求項１４】  インデックス信号が表示状態の制御コマンドおよび前記制御コマンドに対応する制御値を含むことを特徴とする請求項１２または１３に記載の画像信号生成装置。
【請求項１５】  親画像内に選択画像を表示する領域を任意に設定する設定手段と、前記親画像を表す画像信号のうち前記設定手段により設定された前記領域に対応する部分に所定の画像情報を有する選択画像領域信号を付加した親画像信号を生成する選択画像領域発生手段と、
前記選択画像領域発生手段から出力された前記親画像信号から前記選択画像領域信号を検出することにより前記選択画像を表示する前記領域を特定する選択画像領域検出手段と、前記選択画像領域検出手段により特定された前記領域に基づいて前記親画像信号に含まれる前記選択画像領域信号を前記選択画像を表す画像信号で置き換える画像合成手段と、
前記画像合成手段の出力に基づいて前記親画像内に前記選択画像を表示する画像表示手段とを備えたことを特徴とする画像表示システム。
【請求項１６】  選択画像領域信号は所定の色情報を有する画像信号であることを特徴とする請求項１５に記載の画像表示システム。
【請求項１７】  選択画像を表す画像信号の入力が無い場合に、親画像信号に含まれる選択画像領域信号を所定の画像信号で置き換える手段をさらに備えたことを特徴とする請求項１５または１６に記載の画像表示システム。
【請求項１８】  設定手段により複数の選択画像を表示する領域が設定された場合、選択画像領域発生手段が親画像信号のうち前記設定手段により設定された各領域に対応する部分に互いに異なる画像情報を有する複数の選択画像領域信号を付加し、画像合成手段により各選択画像領域信号を前記複数の選択画像を表す各画像信号で置き換えることにより親画面内に前記複数の選択画像を表示することを特徴とする請求項１５〜１７のいずれか１項に記載の画像表示システム。
【請求項１９】  親画像および選択画像の表示状態を制御するためのインデックス信号を生成し、親画像信号の一部を前記インデックス信号で置き換えて出力するインデックス信号発生手段と、
前記親画像に含まれる前記インデックス信号を検出し、検出された前記インデックス信号によって表される制御情報に基づいて前記選択画像および前記親画像の表示状態を制御する表示制御手段とをさらに備えたことを特徴とする請求項１５〜１８のいずれか１項に記載の画像表示システム。
【請求項２０】  インデックス信号は親画像を構成する一部の画素の階調により表示状態の制御情報を表すことを特徴とする請求項１９に記載の画像表示システム。
【請求項２１】  インデックス信号が表示状態の制御コマンドおよび前記制御コマンドに対応する制御値を含むことを特徴とする請求項２０に記載の画像表示システム。
【請求項２２】  親画像内の任意の領域に選択画像を表示する画像表示方法であって、
前記親画像を表す画像信号のうち前記選択画像が表示される前記領域に対応する部分に所定の画像情報を有する選択画像領域信号を付加した親画像信号を入力するステップと、前記親画像から前記選択画像領域信号を検出することにより前記選択画像を表示する前記領域を特定するステップと、
特定された前記領域に基づいて前記親画像信号に含まれる前記選択画像領域信号を前記選択画像を表す画像信号で置き換えるステップと、
前記選択画像領域信号が前記選択画像を表す画像信号により置き換えられた親画像信号に基づいて、前記親画像内に前記選択画像を表示するステップとを含むことを特徴とする画像表示方法。
【請求項２３】  選択画像領域信号は所定の色情報を有する画像信号であることを特徴とする請求項２２に記載の画像表示方法。
【請求項２４】  選択画像を表す画像信号の入力がない場合に、親画像信号のうち選択画像領域信号を所定の画像信号で置き換えることを特徴とする請求項２２または２３に記載の画像表示方法。
【請求項２５】  選択画像領域信号の画像情報に基づいて複数の画像信号から選択画像を表す画像信号を選択することを特徴とする請求項２２〜２４のいずれか１項に記載の画像表示方法。
【請求項２６】  親画像信号が互いに異なる画像情報を有する複数の選択画像領域信号を含む場合、各選択画像領域信号を複数の選択画像を表す各画像信号で置き換えることにより親画像内に前記複数の選択画像を表示することを特徴とする請求項２２〜２５のいずれか１項に記載の画像表示方法。
【請求項２７】  親画像信号が選択画像および親画像の表示状態の制御に関するインデックス信号を含む場合、前記インデックス信号を検出し、検出された前記インデックス信号の制御情報に基づいて前記選択画像および前記親画像の表示状態を制御することを特徴とする請求項２２〜２６のいずれか１項に記載の画像表示方法。
【請求項２８】  インデックス信号は親画像を構成する一部の画素の階調により表示状態の制御情報を表すことを特徴とする請求項２７に記載の画像表示方法。
【請求項２９】  インデックス信号が表示状態の制御コマンドおよび前記制御コマンドに対応する制御値を含むことを特徴とする請求項２７または２８に記載の画像表示方法。
【請求項３０】  画像表示装置に表示される親画像内の任意の領域に選択画像を表示するための画像信号生成方法であって、
前記親画像内に前記選択画像を表示する前記領域を任意に設定するステップと、前記親画像を表す画像信号のうち設定された前記領域に対応する部分に所定の画像情報を有する選択画像領域信号を付加した親画像信号を生成するステップと、
前記親画像信号を前記画像表示装置に出力するステップとを含むことを特徴とする画像信号生成方法。
【請求項３１】  選択画像領域信号は所定の色情報を有する画像信号であることを特徴とする請求項３０に記載の画像信号生成方法。
【請求項３２】  親画像内に互いに異なる複数の選択画像を表示する領域が設定された場合に、前記親画像を表す画像信号のうち設定された複数の領域に対応する部分に互いに異なる画像情報を有する複数の選択画像領域信号を付加したことを特徴とする請求項３０または３１に記載の画像信号生成方法。
【請求項３３】  画像表示装置側において親画像および選択画像の表示状態を制御するためのインデックス信号を生成し、親画像信号の一部を前記インデックス信号で置き換えて画像表示装置に出力することを特徴とする請求項３０〜３２のいずれか１項に記載の画像信号生成方法。
【請求項３４】  インデックス信号は親画像を構成する一部の画素の階調により表示状態の制御情報を表すことを特徴とする請求項３３に記載の画像信号生成方法。
【請求項３５】  インデックス信号が表示状態の制御コマンドおよび前記制御コマンドに対応する制御値を含むことを特徴とする請求項３３または３４に記載の画像信号生成方法。
【請求項３６】  親画像内に表示される選択画像の領域を任意に設定するステップと、
前記親画像を表す画像信号のうち設定された前記領域に対応する部分に所定の画像情報を有する選択画像領域信号を付加した親画像信号を生成するステップと、
前記親画像信号から前記選択画像領域信号を検出することにより前記選択画像を表示する前記領域を特定するステップと、
特定された前記領域に基づいて前記親画像信号に含まれる前記選択画像領域信号を前記選択画像を表す画像信号で置き換えるステップと、
前記選択画像領域信号が前記選択画像を表す画像信号により置き換えられた前記親画像信号に基づいて、前記親画像内に前記選択画像を表示するステップとを含むことを特徴とする画像表示制御方法。
【請求項３７】  選択画像領域信号は所定の色情報を有する画像信号であることを特徴とする請求項３６に記載の画像表示制御方法。
【請求項３８】  選択画像を表す画像信号の入力が無い場合に、親画像信号に含まれる選択画像領域信号を所定の画像信号で置き換えることを特徴とする請求項３６または３７に記載の画像表示制御方法。
【請求項３９】  親画像内に互いに異なる複数の選択画像を表示する領域が設定された場合、前記親画像を表す画像信号のうち設定された複数の前記領域に対応する部分を互いに異なる画像情報を有する複数の選択画像領域信号で置き換えた親画像信号を生成し、前記親画像信号に含まれる各選択画像領域信号を前記複数の選択画像を表す各画像信号で置き換えることにより前記親画像内に前記複数の選択画像を表示することを特徴とする請求項３６〜３８のいずれか１項に記載の画像表示制御方法。
【請求項４０】  選択画像および親画像の表示状態の制御に関するインデックス信号を生成し、前記親画像を表す画像信号の一部を前記インデックス信号で置き換えるステップと、
前記インデックス信号を検出し、検出された前記インデックス信号によって表される制御情報に基づいて前記選択画像および前記親画像の表示状態を制御するステップとをさらに含むことを特徴とする請求項３６〜３９のいずれか１項に記載の画像表示制御方法。
【請求項４１】  インデックス信号は親画像を構成する一部の画素の階調により表示状態の制御情報を表すことを特徴とする請求項４０に記載の画像表示制御方法。
【請求項４２】  インデックス信号が表示状態の制御コマンドおよび前記制御コマンドに対応する制御値を含むことを特徴とする請求項４０に記載の画像表示制御方法。
【発明の詳細な説明】
【０００１】
【発明の属する技術分野】
本発明は、パーソナルコンピュータ（以下、ＰＣと称す）等から出力される画像中に、ＶＴＲ等の画像を子画面として表示する機能を有する画像表示装置、および画像表示装置に表示される子画面の表示制御を容易に行なうことが可能な画像表示システムに関するものである。
【０００２】
【従来の技術】
図４４は、特開平１１−３３８４５０号公報に記載された画像表示装置である。同図に示す画像表示装置は、親画面内に子画面を形成することにより画面上に複数の画像を表示する機能を有する画像表示装置である。
以下、図４４に示す画像表示装置の動作について説明する。子画面用映像信号は、サンプリング手段２１１に入力され、サンプリングクロック生成手段２１７によって出力されるサンプリングクロックに基づいて標本化される。サンプリング手段２１１は、標本化した子画面用映像の画像データをメモリ手段２１２に出力する。画像変換手段２１３は、メモリ手段２１２から画像データを読み出し、映像信号切替手段２１４に出力する。映像信号切替手段２１４は、１ラインにおいて親画面用映像信号と、映像信号切替手段２１４から出力される子画面の画像データとを切り替えて出力することにより、親画面内に子画面を表示している。
【０００３】
ここで、親画面用映像信号と、子画面の画像データとを切り替える制御信号はＣＰＵ２１８から出力される。ＣＰＵ２１８は設定された子画面のサイズに応じて、親画面用映像信号と、子画面の画像データとを切り替えて出力する制御信号を生成し、映像信号切替手段２１４に出力する。サイズ認識手段２１６は、ＣＰＵ２１８から出力される制御信号を監視し、１水平周期間に映像切替手段２１４が親画面に接続した時間と子画面し接続した時間から、親画面と子画面の水平サイズ比を求め、サンプリングクロック２１７に出力する。サンプリングクロック２１７は、親画面と子画面の水平サイズ比に基づいてサンプリングクロックの周波数を可変する。つまり、子画面のサイズが大きい場合はサンプリングクロックの周波数を高くし、小さい場合は低くすることにより、画質の劣化をおさえつつ、メモリ手段２１２に記憶される子画面の画像データ量を減少させている。
【０００４】
【発明が解決しようとする課題】
従来の画像表示装置は、以上のように構成されていたので、以下に述べる問題があった。
従来の画像表示装置では、子画面の発生、消去、また、子画面を表示する位置やサイズ等の設定は画像表示装置側で行われていたため、子画面の設定を変更する場合は、画像表示装置側に設けられた入力手段（リモコン等）により行なう必要があった。このため、図４５に示すように親画面としてＰＣの画像（以下、ＰＣ画像と称す）を表示し、子画面にＶＴＲ等の映像機器からの画像を表示した場合に子画面を消去、または子画面の位置を変更するには、画像表示装置側に設けられた入力手段によって子画面の位置の変更、または子画面の消去を行なわなければならない。このため、ＰＣの出力画像を親画面とし、ＶＴＲ等の映像機器からの映像を子画面として表示する場合、ＰＣと画像表示装置の２つの入力デバイスを操作する必要があった。
一般的な画像表示装置において、子画面の位置や大きさは予め設定されている。また、一般的な画像表示装置は、マウスやキーボードといった子画面の大きさを任意に変更するためインターフェースを備えていない。このため、ＰＣ画像として表されるテキスト画像やグラフィック画像についてはマウスやキーボードなどの設定手段によって任意にその位置や大きさを調整することはできるが、ＶＴＲ等の映像機器から出力される画像が表示される子画面については、こうした設定手段を用いて任意に変更することはできなかった。
【０００５】
本発明は上記の問題点を解決するためになされたもので、画面設定のための入力デバイス（例えば、マウス等のポインティングデバイス）を有する画像信号生成装置（例えば、ＰＣ）から出力される親画像内に他の映像機器から出力される選択画像を表示する際、その表示領域を任意に設定するとともに、表示領域の位置やサイズの調整を画像信号生成装置に設けられた入力デバイスによって容易に行なうことが可能な画像表示システムを提供することを目的とする。
【０００６】
【課題を解決するための手段】
本発明による画像表示装置は、親画像の任意の領域に選択画像を表示する画像表示装置であって、
前記親画像を表す画像信号のうち前記選択画像が表示される前記領域に対応する部分に所定の画像情報を有する選択画像領域信号を付加した親画像信号が入力される入力部と、前記入力部に入力された前記親画像信号から前記選択画像領域信号を検出することにより前記選択画像を表示する前記領域を特定する選択画像領域検出手段と、前記選択画像領域検出手段により特定された前記領域に基づいて前記親画像信号に含まれる前記選択画像領域信号を前記選択画像を表す画像信号で置き換える画像合成手段と、
前記画像合成手段の出力に基づいて前記親画像内に前記選択画像を表示する画像表示手段とを備えたものである。
【０００７】
本発明による画像信号生成装置は、画像表示装置に表示される親画像内の任意の領域に選択画像を表示するための画像信号生成装置であって、
前記親画像内に前記選択画像を表示する前記領域を任意に設定する設定手段と、
前記親画像を表す画像信号のうち前記設定手段により設定された前記領域に対応する部分に所定の画像情報を有する選択画像領域信号を付加した親画像信号を生成する選択画像領域発生手段とを備え、
前記親画像信号を前記画像表示装置に出力するように構成したものである。
【０００８】
本発明による画像表示システムは、親画像内に選択画像を表示する領域を任意に設定する設定手段と、
前記親画像を表す画像信号のうち前記設定手段により設定された前記領域に対応する部分に所定の画像情報を有する選択画像領域信号を付加した親画像信号を生成する選択画像領域発生手段と、
前記選択画像領域発生手段から出力された前記親画像信号から前記選択画像領域信号を検出することにより前記選択画像を表示する前記領域を特定する選択画像領域検出手段と、
前記選択画像領域検出手段により特定された前記領域に基づいて前記親画像信号に含まれる前記選択画像領域信号を前記選択画像を表す画像信号で置き換える画像合成手段と、
前記画像合成手段の出力に基づいて前記親画像内に前記選択画像を表示する画像表示手段とを備えたものである。
【０００９】
本発明による画像表示方法は、親画像内の任意の領域に選択画像を表示する画像表示方法であって、
前記親画像を表す画像信号のうち前記選択画像が表示される前記領域に対応する部分に所定の画像情報を有する選択画像領域信号を付加した親画像信号を入力するステップと、
前記親画像から前記選択画像領域信号を検出することにより前記選択画像を表示する前記領域を特定するステップと、
特定された前記領域に基づいて前記親画像信号に含まれる前記選択画像領域信号を前記選択画像を表す画像信号で置き換えるステップと、
前記選択画像領域信号が前記選択画像を表す画像信号により置き換えられた親画像信号に基づいて前記親画像内に前記選択画像を表示するステップとを含むものである。
【００１０】
本発明による画像信号生成方法は、画像表示装置に表示される親画像内の任意の領域に選択画像を表示するための画像信号生成方法であって、
前記親画像内に前記選択画像を表示する前記領域を任意に設定するステップと、
前記親画像を表す画像信号のうち設定された前記領域に対応する部分に所定の画像情報を有する選択画像領域信号を付加した親画像信号を生成するステップと、
前記親画像信号を前記画像表示装置に出力するステップとを含むものである。
【００１１】
本発明による画像表示制御方法は、親画像内に表示される選択画像の領域を任意に設定するステップと、
前記親画像を表す画像信号のうち設定された前記領域に対応する部分に所定の画像情報を有する選択画像領域信号を付加した親画像信号を生成するステップと、
前記親画像信号から前記選択画像領域信号を検出することにより前記領域を特定するステップと、
特定された前記領域に基づいて前記親画像信号に含まれる前記選択画像領域信号を前記選択画像を表す画像信号で置き換えるステップと、
前記選択画像領域信号が前記選択画像を表す画像信号により置き換えられた前記親画像信号に基づいて前記親画像内に前記選択画像を表示するステップとを含むものである。
【００１２】
【発明の実施の形態】
実施の形態１．
図１は、実施の形態１による画像表示システムの構成を示す概略図である。同図において、１は親画像を出力する画像信号生成装置であり、親画像内に表示される子画面の大きさを設定するための設定手段を備えている。画像信号生成装置１は、子画面の設定手段として使用可能な入力デバイスを有する画像信号生成手段により構成され、具体的には、マウス、キーボード等の入力デバイスを有するＰＣを用いることができる。この場合、マウス等の入力デバイスにより子画面の大きさや位置が設定される。１０２は設定された子画面に表示される画像（以下、選択画像と称す）を出力する選択画像出力手段であり、ＶＴＲ等の一般的な画像出力装置により構成される。２は画像信号生成手段１の設定手段により設定された領域に選択画像を表示する画像表示手段である。画像信号生成装置１は、上記の入力デバイスにより選択画像の表示領域が任意に設定されると、設定された表示領域に関する情報を含んだ親画像信号Ｓ１を生成し画像表示装置２に出力する。選択画像出力手段１０２は選択画像を表す選択画像信号Ｓ２を出力する。
【００１３】
以下、図１に示す画像表示システムの動作を概略的に説明する。尚、本実施の形態では、画像信号生成装置１をＰＣにより構成する場合を例として説明する。
図２、３はそれぞれ、画像信号生成装置１において生成される親画像、および選択画像出力手段１０２により出力される選択画像の一例を示す図である。画像信号生成装置１は、マウス、キーボード等の入力デバイスにより選択画像の表示領域が設定されると、図４に示すように、設定された領域を所定の単一色を表す選択画像領域として表す。つまり、親画像を表す画像信号のうち、選択画像が表示される領域に対応する部分を、予め設定された色情報を有する選択画像領域信号で置き換えた親画像信号Ｓ１を生成し、画像表示装置２に出力する。このように、設定された選択画像の表示領域を単一色を表す選択画像領域信号により表すことで、画像信号生成装置１側で設定された選択画像の表示領域に関する情報を親画像信号Ｓ１に含めることができる。ここで、選択画像領域信号を単一色を表す画像信号とすることにより、親画像と選択画像領域とが区別される。
【００１４】
画像表示装置２は、親画像信号Ｓ１に含まれる選択画像領域信号を検出することにより、選択画像領域の大きさ、位置を検出する。具体的には、水平・垂直同期信号から選択画像領域信号が検出されるまでの期間のクロック数をカウントすることにより選択画像領域の位置を検出し、一水平期間における選択画像領域信号の始端から終端までの期間のクロック数をカウントすることにより選択画像領域の大きさを検出する。画像表示装置２は、検出された選択画像領域の大きさに対応して選択画像のサイズを変換し、親画像信号Ｓ１に含まれる選択画像領域信号をサイズ変換された選択画像の画像信号で置き換えることにより、図５に示すように、画像信号生成装置１において任意に設定された親画像内の領域に選択画像を表示する。
【００１５】
図６は、本実施の形態による画像信号生成装置１、および画像表示装置２の動作を示すフローチャートである。まず、画像信号生成装置１において、選択画像の表示領域を設定し（Ｓｔ１）、設定された領域を選択画像領域信号で置き換えた親画像信号Ｓ１を生成し（Ｓｔ２）、画像表示装置２に出力する（Ｓｔ３）。画像表示装置２においては、画像信号生成装置１から入力される親画像信号Ｓ１と、選択画像出力手段１０２から出力される選択画像信号Ｓ２が入力され（Ｓｔ４）、入力された親画像信号Ｓ１に含まれる選択画像領域信号を検出することにより選択画像領域が特定される（Ｓｔ５）。この後、特定された選択画像領域に対応して選択画像のサイズを変換し、親画像信号Ｓ１に含まれる選択画像領域信号をサイズ変換された選択画像の信号で置き換えることにより画像を合成し（Ｓｔ６）、合成された画像を表示する（Ｓｔ７）。
【００１６】
上記のように、本実施の形態による画像表示システムは、親画像信号を出力するとともに、選択画像の表示領域を設定するための設定手段として使用可能な入力デバイスを有するＰＣ等により構成される画像信号生成装置１において、選択画像の表示領域を任意に設定し、親画像を表す画像信号のうち、設定された領域に対応する部分を所定の単一色を表す選択画像領域信号で置き換えて出力する。
一方、画像表示装置２においては、この選択画像領域信号を検出することにより選択画像領域を特定し、特定された領域に基づいて、親画像信号に含まれる選択画像領域信号を選択画像を表す画像信号で置き換えるように構成したので、選択画像の表示領域を画像信号生成装置１側の入力デバイスにより任意に設定することができる。
【００１７】
１．画像信号生成装置
以下、図１に示す画像信号生成装置１の構成について説明する。
図７は、画像信号生成装置１の内部構成を示す図である。３は親画像を表す画像信号Ｇ１を出力する画像出力手段であり、ＰＣ画像を出力する画像出力手段に相当する。６は選択画像の表示領域を設定するための設定手段であり、マウス、キーボード等の入力デバイスに相当する。４は親画像を表す画像信号Ｇ１のうち、設定手段６により設定された選択画像の表示領域に対応する部分を選択画像領域信号で置き換えて出力する選択画像領域発生手段である。５は選択画像領域信号を含んだ画像信号に同期信号を付加して出力する画像出力手段、７は出力端子である。
【００１８】
設定手段６により、選択画像の発生、位置、大きさの変更といった所定の入力がされると、選択画像領域発生手段４は、親画像を表す画像信号Ｇ１のうち、選択画像の表示領域に設定された部分を所定の単一色を表す選択画像領域信号で置き換えた画像信号ＧＳ１を出力する。画像出力手段５は、画像信号ＧＳ１に同期信号を付加した親画像信号Ｓ１を出力する。
【００１９】
２．画像表示装置
次に、図１に示す画像表示装置２の構成および動作について説明する。
図８は画像表示装置２の構成を示す図である。同図において、８、９は入力端子、１０は画像信号が入力される入力部、１１、１２は入力画像信号処理手段である。入力画像信号処理手段１１、１２には、親画像信号Ｓ１、選択画像信号Ｓ２が入力端子８、９を介して入力される。入力画像信号処理手段１１、１２は、親画像信号Ｓ１、選択画像信号Ｓ２をＡ／Ｄ変換した画像信号Ｒｉ１，Ｒｉ２、親画像信号Ｓ１、選択画像信号Ｓ２から分離された同期信号Ｒｓ１，Ｒｓ２、同期信号Ｒｓ１，Ｒｓ２から生成されるクロックＲｔ１、Ｒｔ２を出力する。１３は、各信号に基づいて親画像および選択画像を合成する画像処理部、１４は合成された画像を表示する画像表示部である。１５は親画像信号Ｓ１、選択画像信号Ｓ２の信号形式に対する入力画像信号処理手段１１、１２の動作設定等を行なう設定手段であり、具体的には画像表示装置２側に設けられたリモコン等の入力デバイスに相当する。
【００２０】
図９に、入力画像信号処理手段１１，１２の構成を示す。同図において、Ｓｘは親画像信号Ｓ１または選択画像信号Ｓ２、Ｒｉｘは画像信号Ｒｉ１またはＲｉ２、Ｒｓｘは同期信号Ｒｓ１またはＲｓ２、ＲｔｘはクロックＲｔ１またはＲｔ２を表す。
入力された画像信号Ｓｘは、Ａ／Ｄ変換手段１８、および同期信号処理手段１６に与えられる。同期信号処理手段１６は、画像信号Ｓｘから同期信号Ｒｓｘを抽出する。クロック生成手段１７は、抽出された同期信号Ｒｓｘに基づいて、クロックＲｔｘを生成する。生成されたクロックＲｔｘは、後段に出力されるとともに、Ａ／Ｄ変換手段１８に入力される。Ａ／Ｄ変換手段１８は、生成されたクロックＲｔｘをサンプリングクロックとして画像信号Ｓｘをデジタル信号に変換する。
【００２１】
入力画像信号処理手段１１，１２から出力された各信号Ｒｉｘ、Ｒｓｘ、Ｒｔｘは、画像処理部１３に入力される。画像処理部１３は、入力された信号に基づいて、親画像および選択画像の合成を行う。
以下、画像処理部１３の動作を説明する。図１０は、画像信号処理部１３の構成を示す図である。同図において、１９は同期信号Ｒｓ１に基づいて、選択画像領域検出手段２０、画像信号記憶手段２１、制御手段２６の各動作を制御する制御信号を出力する制御手段である。選択画像領域検出手段２０は、画像信号Ｒｉ１から所定の単一色の領域を表す選択画像領域信号を検出することにより、選択画像領域を特定する。選択画像領域検出手段２０は、特定された選択画像領域の大きさ、位置等に関する選択画像領域情報ＳＳを生成する。ここで、選択画像領域検出手段２０は、制御手段１９から出力される制御信号に基づいて、垂直・水平同期信号から選択画像領域信号が検出されるまでの期間、クロックＲｔ１のクロック数をカウントすることにより選択画像領域の位置を検出し、一水平期間における選択画像領域信号の始端から終端までの期間、クロックＲｔ１のクロック数をカウントすることにより選択画像領域の大きさを検出する。ここで、クロックＲｔ１は、制御手段２６、選択画像検出手段２０の動作クロック、また画像信号記憶手段２１の書き込み動作クロックとして用いられる。画像信号記憶手段２１は、制御手段２６から出力される制御信号に基づいて画像信号Ｒｉ１を読み込む。
【００２２】
２２は同期信号Ｒｓ２、および選択画像領域情報ＳＳに基づいて、画像信号変倍手段２３、および画像信号記憶手段２４の動作を制御する制御信号を出力する制御手段である。画像信号変倍手段２３は、制御手段２２から出力される制御信号に基づいて、特定された選択画像領域に対応して選択画像のサイズを変換し、変換された選択画像の画像信号を画像信号記憶手段２４に出力する。
【００２３】
画像信号記憶手段２１、２４に記憶された親画像および選択画像の画像信号は、画像信号合成手段２５に出力される。制御手段２６は、選択画像領域情報ＳＳおよび制御手段１９、２２から出力される制御信号に基づいて、画像信号記憶手段２１、２４に記憶された画像信号を画像信号合成手段２５に読み出す制御信号を出力する。このとき、クロック発生手段２７は、画像信号記憶手段２１、２４の読み出し動作のためのクロックＭｔ１を出力する。画像信号合成手段２５は、制御手段２６からの制御信号に基づいて、親画像の部分では画像信号記憶手段２１に記憶された画像信号を読み出し、選択画像領域信号の部分では画像信号記憶手段２４に記憶された画像信号を読み出して出力することにより親画像と選択画像とを合成し、合成された画像信号Ｍｉ１を出力する。このとき、制御手段２６、クロック発生手段２７により、同期信号Ｍｓ１、クロックＭｔ１が画像信号Ｍｉ１とともに図８に示す画像表示装置の画像表示部１４に出力される。画像表示部１４は、画像信号処理部１３から出力された画像信号Ｍｉ１、同期信号Ｍｓ１およびクックＭｔ１に基づいて合成された画像を表示する。同図に示す画像信号処理部１３の構成において、クロックＭｔ１の代わりにクロックＲｔ１を用い、クロック発生手段２７を省略してもよい。
【００２４】
なお、上記動作の説明では、画像表示装置２の入力画像信号処理手段１１、１２に入力される親画像信号Ｓ１、選択画像信号Ｓ２が、アナログ信号の場合について説明したが、デジタル信号であってもよい。例えば、画像信号生成装置１の画像出力手段５が、親画像信号Ｓ１をＬＶＤＳ（Low Voltage differential Signaling）、ＴＭＤＳ（Transition Minimized Differential Signaling）等のデジタルのシリアル画像データ、あるいはデジタルのパラレル画像データとして出力する場合、図９に示した入力画像信号処理手段１１の内部構成は、図１１に示すようなデジタル画像信号処理手段３１とすることができる。同図に示すデジタル画像信号処理手段３１は、受信したデジタル形式の親画像信号Ｓ１から画像データＲｉ１、同期信号Ｒｓ１およびクロックＲｔ１を画像信号処理部１３に出力する。デジタル画像信号処理手段３１は、画像データＲｉ１と画像の有効期間を示すタイミング信号とを出力する。
【００２５】
以上において述べたように、本実施の形態による画像信号生成装置１は、マウス、キーボード等の設定手段６により選択画像の表示領域を設定し、設定された領域を所定の単一色の領域として表す親画像信号Ｓ１を出力する。また、画像表示装置２においては、画像信号生成装置１から入力された画像信号から所定の単一色の領域を表す選択画像領域を信号検出することにより選択画像を表示する領域を特定し、この単一色の領域を表す選択画像領域信号を、選択画像を表す画像信号で置き換えることにより画像を合成するよう構成した。このように選択画像領域信号を用いて選択画像の表示領域を指定可能とすることにより、特殊な表示効果を容易に得ることができる。例えば、図１２に示すように、選択画像領域信号が楕円を表すようにすることで、子画面を楕円形とすることができる。この場合、選択画像領域の上端、下端、左端、右端を基準に画像の変倍率や表示位置を検出すればよい。また、図１３に示すように、選択画像領域を背景画像として発生した場合は、図１４に示すように選択画像を背景に表示することができる。さらに、図１５に示すように、選択画像領域を複数発生することにより、図１６に示すように、選択画像を複数の領域に表示することができる。
【００２６】
尚、上記の説明では、選択画像領域信号を所定の単一色を表す画像信号としたが、量子化誤差やノイズによる誤動作を防止するために、予め設定された領域の色を表す画像信号としてもよい。また、所定の繰り返しパターンを有する画像信号、あるいは所定の輝度を有する画像信号を選択画像領域信号としてもよい。また、画像信号生成装置１において選択画像の表示領域を設定する設定手段６は、タッチパネル、ペンタブレット、さらに音声入力デバイス等の入力デバイスを用いて構成してもよい。
【００２７】
実施の形態２．
実施の形態１による画像表示システムにおいて、選択画像出力手段１０２から選択画像信号Ｓ２の入力が無い場合、選択画像領域に所定の画像を表示するように構成してもよい。実施の形態２は、選択画像信号Ｓ２の入力が無い場合に、これに代わる画像信号を表示する画像表示装置に関するものである。
本実施の形態による画像表示装置１の画像処理部１３の構成を図１７に示す。同図において、２８は選択画像の入力が無い場合に、所定の画像信号を画像信号合成手段３０に出力する画像信号発生手段である。制御手段２９は、制御手段２３により出力される制御信号に基づいて選択画像信号Ｓ２の入力の有無を判別し、入力が無い場合は、画像信号発生手段２８に記憶された画像信号を読み出すための制御信号を出力する。画像合成手段３０は、選択画像領域信号の部分を画像信号発生手段２８により出力される画像信号で置き換えた親画像信号を出力する。
【００２８】
以上のように構成することで、画像出力手段１０２からの入力が無い場合であっても、選択画像領域に、画像信号発生手段２８に記憶された画像を表示することにより、乱れた画像（ノイズ）が表示されるのを防ぐことができる。
尚、画像信号発生手段２８に所望の画像を表す画像信号を記憶し、使用者が、出力する画像を選択可能なように構成してもよい。このとき、画像信号の入力が無いことを示すメッセージが出力されるようにしてもよい。
【００２９】
実施の形態３．
実施の形態３による画像表示システムは、実施の形態１による画像表示システムにおいて、地上波放送や衛星放送、あるいはケーブルＴＶ放送等のＴＶ画像を選択画像として表示する際、チャネルの選択を画像生成装置１側の設定手段により行なうものである。
【００３０】
図１８は、本実施の形態による画像表示システムの構成を示す図である。同図において、３２はＲＦ信号の受信アンテナ、３３は本実施の形態による画像表示装置、Ｓ４はＲＦ信号である。ＲＦ信号Ｓ４は、接続ケーブルを用いて画像表示装置３３に入力してもよい。本実施の形態による画像表示システムにおいて、画像信号生成装置１は、選択されるチャネル毎に、異なる色情報を有する選択画像領域信号を生成する。つまり、選択画像領域の色をチャネル毎に設定することにより、選択画像領域信号に選択チャネルに関する情報を付加する。
【００３１】
図１９は、本実施の形態による画像表示装置３３の内部構成を示す図である。同図において、１０は画像信号が入力される入力部であり、ＲＦ信号受信手段３４は、ＲＦ信号Ｓ４を受信し、後述するチャネル制御信号ＣＨ１に基づいてチャネルを選択するとともに、選択されたチャネルの画像信号Ｒｉ２、同期信号Ｒｓ２、およびクロック信号Ｒｔ２を画像処理部３５に出力する。画像処理部３５は、入力された各信号に基づいて、親画像および選択画像を合成する。画像処理部３５はまた、画像信号Ｒｉ１に含まれる選択画像領域信号の色情報に基づいて、チャネル制御信号ＣＨ１をＲＦ信号受信手段３４に出力する。
【００３２】
図２０は、ＲＦ信号受信手段３４の内部構成を示す図である。同図において、３６は、ＲＦ信号Ｓ４からチャネル制御信号ＣＨ１に基づいてチャネルを選択するチャネル選択手段である。実施の形態１と同様の動作により、選択されたチャネルの画像信号は選択画像信号Ｓ２として出力され、また、同期信号処理手段１６、クロック発生手段１７により画像信号Ｒｉ２、同期信号Ｒｓ２、およびクロックＲｔ２が出力される。
【００３３】
図２１は、画像処理部３５の内部構成を示す図である。選択画像領域信号を含んだ画像信号Ｒｉ１は、選択画像領域検出手段２０に入力される。選択画像領域検出手段２０は、画像信号Ｒｉ１から選択画像領域信号を検出することにより、選択画像領域を特定するとともに、選択画像信号の色情報により選択するチャネルに関する情報を検出する。選択チャネルに関する情報は、選択画像領域情報ＳＳとともに制御手段３７に出力される。制御手段３７は、選択画像領域情報ＳＳに基づいてチャネル制御信号ＣＨ１をＲＦ信号受信手段３４に出力する。他の構成、および動作は実施の形態１と同様である。
【００３４】
以上のように、画像信号生成装置１において、選択画像領域信号の色情報に、選択するチャネル番号を割り当て、画像表示装置３３において、選択画像領域信号の色情報に基づいて、チャネルを選択することにより、親画像内に表示されるＴＶ画像のチャネルの選択を、画像信号発生装置１側で行うことができる。
尚、予め割り当てられた選択画像領域信号の色情報を自動的に変更することで、画像表示装置３３においてチャネルの検索表示を行うこともできる。
【００３５】
実施の形態４．
実施の形態４による画像表示システムは、複数の選択画像を親画像内に表示するものである。図２２は、本実施の形態による画像表示システムの構成を示す図である。選択画像出力手段１０２、１０３は、例えば、図２３に示す選択画像１、２を出力する。画像信号生成装置１は、図２４に示すように選択画像１、２の表示領域に対応する部分を、互いに異なる色を有する選択画像領域１、２で置き換えた親画像信号Ｓ１を画像表示装置３８に出力する。画像表示装置３８は、互いに異なる色情報を有する選択画像領域信号を検出することにより、選択画像領域１、２を特定し、実施の形態１と同様の処理により親画像および選択画像の合成を行う。
【００３６】
図２５に、画像表示装置３８の内部構成を示す。画像信号生成装置１、選択画像出力手段１０２、１０３から出力される親画像信号Ｓ１、選択画像信号Ｓ２、Ｓ３は、入力画像信号処理手段１１、１２、１３に入力される。入力画像信号処理手段１１、１２、１３は、実施の形態１と同様の動作により、画像信号Ｒｉ１、Ｒｉ２、Ｒｉ３、同期信号Ｒｓ１、Ｒｓ２、Ｒｓ３、クロックＲｔ１、Ｒｔ２、Ｒｔ３を画像処理部４２に出力する。画像処理部４２では、画像信号Ｒｉ１から、互いに異なる単一色の領域を表す選択画像領域信号を検出することにより、選択画像領域１、２を特定し、親画像信号Ｓ１に含まれる選択画像領域１、２を表す画像信号を選択画像１、２を表す画像信号で置き換える。これにより図２６に示すように、複数の選択画像を表示することができる。
【００３７】
以上のように構成することで、複数の選択画像を親画像に表示する際、各選択画像の大きさや位置を、画像信号生成装置１側で任意に設定することができる。
尚、表示する選択画像の数に応じて、選択画像領域信号の色情報を設定することにより、選択画像の数を増やすことができる。つまり、選択画像が入力される入力端子数をｎ個とした場合は、選択画像領域信号の色情報をｎ種類設定し、画像信号生成装置１において、選択画像の数に応じて異なる色情報を有する選択画像領域信号を発生し、画像表示装置２において各選択画像領域信号を判別するように構成すればよい。また、入力端子９、３９に対する選択画像領域の色の割付は、設定手段１５により行なうように構成してもよい。
【００３８】
実施の形態５．
実施の形態５は、実施の形態１による画像表示システムにおいて、表示画像の明るさ、コントラスト、色合い、さらに選択画像の部分表示といった表示制御を画像信号生成装置１の設定手段により行うものである。このように、画像信号生成装置１の設定手段により表示制御を行なうため、本実施の形態による画像表示システムでは、親画像信号Ｓ１に画像表示装置２において親画像および選択画像の表示制御を行なうためのインデックス信号を含めて画像表示装置２に出力するよう構成する。ここで、インデックス信号は、親画像を構成する一部の画素の階調により、親画像および選択画像信号の表示状態の制御情報を表す。
【００３９】
図２７は、本実施の形態による画像信号生成装置１（図１参照）の構成を示す図である。４５は選択画像の表示領域に関する設定とともに、親画像および選択画像の表示状態を設定するための設定手段である。４４は設定手段４５により設定された表示状態の制御内容に基づいて生成されたインデックス信号を画像信号ＧＳ１に含めるインデックス信号発生手段である。インデックス信号を含んだ画像信号ＧＳ２は画像出力手段５により同期信号を付加され、親画像信号Ｓ１として画像信号表示装置２（図１参照）に出力される。
【００４０】
以下、インデックス信号の詳細について説明する。図２８は、インデックス信号の一例を示す図である。同図に示すインデックス信号は、水平方向に配列された８つの画素Ｉｄ１〜Ｉｄ８に対応する画素信号により構成され、Ｉｄ１〜Ｉｄ８の各画素の階調により制御情報を表すものである。図２９は、インデックス信号の詳細を説明するための説明図である。図において黒丸は輝度レベルが所定値以下の暗い画素データ、白丸は輝度レベルが所定値以上の明るい画素データを示す。同図に示すように、明るい画素を１、暗い画素を０として定義することで、インデックス信号をｎ画素で構成した場合、２n個の制御内容を設定することができる。図２８に示すように、Ｉｄ１〜Ｉｄ８の８画素によりインデックス信号を構成した場合は、明るい画素、および暗い画素の組み合わせパターンにより２５６の制御情報を設定することができる。さらに、インデックス信号をＲＧＢ毎に独立に設定すると、インデックス信号によって制御可能な表示状態の数は上記状態の３倍になる。インデックス信号は、図３０に示すように、選択画像領域の端を基準とした所定の位置に挿入される。これにより、画像表示装置側でインデックス信号を検出することが可能となる。
【００４１】
図３１に本実施の形態による画像表示装置２の画像処理部１３（図７参照）の内部構成を示し、その動作について説明する。同図において、４６は画像信号Ｒｉ１に含まれるインデックス信号を検出するインデックス信号検出手段である。インデックス信号検出手段４６は、画像信号Ｒｉ１の予め設定された個所に挿入されたインデックス信号を検出し、検出されたインデックス信号に基づいて表示制御情報ＳＩを生成し、制御手段４７、４８に出力する。制御手段４７、４８は表示制御情報ＳＩに基づいて、画像変倍手段２３、画像信号合成手段２５に表示状態の制御に関する制御信号を出力することにより親画像、および選択画像のコントラスト、色合いの調整等に関する画像処理を行なう。つまり、本実施の形態においては、選択画像領域情報ＳＳによって選択画像の位置や大きさを制御し、表示装置制御情報ＳＩに基づいて親画像および選択画像の明るさ、コントラスト、色の濃さや色合いなどの表示状態を制御する。このように、インデックス信号に表示装置制御情報ＳＩを与えることにより、図３２に示すように、選択画像の部分表示等の特殊な表示を行なうこともできる。
【００４２】
以下、インデックス信号の他の構成例を示す。
図３３は、インデックス信号にヘッダ、およびフッタを含めたものである。このとき、ヘッダにインデックス信号の開始コードを持たせることで、インデックス信号を、選択画像領域信号の任意の位置に挿入した場合においても、インデックス信号を検出することが可能となる。また、インデックス信号のフッタには、インデックス信号のパリティ情報、誤り訂正情報、終了コードを含めることで、インデックス信号の判別を正確に行うことができる。
【００４３】
図３４は、インデックス信号のヘッダに、インデックス信号を構成する画素の階調を２値化するための閾値を含めたものである。同図に示す構成によれば、閾値を基準に階調の２値化を行うことができるので、画像信号の振幅が変動した場合であっても、インデックス信号の情報を正しく判別することができる。また、複数の画素の平均値を閾値とするように構成してもよく、閾値の検出誤りを防ぐことができる。
【００４４】
図３５は、１画素の輝度レベルに複数の閾値を設定し、ヘッダに各閾値を含めることにより、１画素に対して複数の情報を割り当てることができる。同図に示す構成によれば、少ない画素数で、多数の制御情報を設定することができる。尚、画像信号をｎビットのデジタル画像データとして受信する場合は、送出インデックス信号を構成する１画素に２n個の情報を持たせることができることは言うまでもない。
【００４５】
また、図３６に示すようにインデックスの１ビットを、連続する２画素で構成してもよく、サンプリングクロックの位相ずれやジッタで正しく１画素がサンプリングできない場合であっても、インデックス信号を判別することができる。ここで、インデックス信号の１ビットを構成する画素数は、３画素以上であっても同様の効果を示す。
【００４６】
また、図３７に示すように選択画像領域の一部に子画面の制御メニューを表示し、この制御メニューに対する入力結果に基づいてインデックス信号に含まれる表示装置制御情報ＳＩを発生してもよい。つまり、図３８に示すように、インデックス信号の表示装置制御情報ＳＩを、制御コマンドと制御値を含めた構成とすることで、少ない画素数で多数の制御を行うことができるとともに、制御コマンドの追加も容易になる。
【００４７】
実施の形態６．
実施の形態６は、複数の選択画像を表示する際、各選択画像の表示制御を独立して行うものである。図３９に示すように、複数の選択画像領域信号を生成するとともに、各選択画像領域信号に対してインデックス信号を与えることにより、各子画面の表示制御を独立して行うことができる。
【００４８】
また、図４０に示すように、親画像の所定の領域に制御メニューを表示するとともに、制御メニューに対する入力に応じたインデックス信号を選択画像領域以外に発生するように構成してもよい。つまり、制御メニューに対する入力に応じて、図４１に示すように、インデックス信号の表示装置制御情報の部分に表示制御を行う選択画像の番号、制御コマンド、制御値を含めることで、特定の選択画像のみの表示制御が可能になる。
【００４９】
また、図４２に示すように、最初は選択画像領域信号を発生せずに、制御メニューのみ（図中、メニューバーにて表す）を表示し、制御メニューで設定した内容に基づいてインデックス信号を生成するように構成してもよい。つまり、選択画像領域信号ではなくインデックス信号に選択画像の位置と大きさの情報を含めることで、図４３に示すように選択画像の表示ができる。この場合、画像信号生成装置１の選択画像信号発生手段４と画像表示装置２の画像処理部１３における選択画像領域検出手段２０を省略することができる。
【００５０】
【発明の効果】
本発明による画像表示装置は、選択画像が表示される任意の領域に選択画像領域信号を付加した親画像信号から当該選択画像領域信号を検出し、選択画像を表示する領域を特定する選択画像領域検出手段を備え、特定された領域に基づいて親画像信号に含まれる選択画像領域信号を選択画像を表す画像信号で置き換えるので、親画像内の任意の領域に選択画像を表示することができる。
【００５１】
本発明による画像信号生成装置は、画像表示装置に表示される親画像内に選択画像を表示する領域を任意に設定する設定手段を備え、設定された領域に選択画像領域信号を付加した親画像信号を生成して画像表示装置に出力するので、親画像内に選択画像を表示する領域を任意に設定することができる。
【００５２】
本発明による画像表示システムは、画像表示装置に表示される親画像内に選択画像を表示する領域を任意に設定する設定手段を備え、設定された領域に選択画像領域信号を付加した親画像信号を生成し、画像合成手段により親画像信号に含まれる選択画像領域信号を選択画像を表す画像信号で置き換えるので、親画像内の任意の領域に選択画像を表示することができる。
【００５３】
本発明による画像表示方法は、選択画像が表示される任意の領域に選択画像領域信号を付加した親画像信号から選択画像領域信号を検出することにより選択画像を表示する領域を特定し、特定された領域に基づいて親画像信号に含まれる選択画像領域信号を選択画像を表す画像信号で置き換えるので、親画像内の任意の領域に選択画像を表示することができる。
【００５４】
本発明による画像信号生成方法は、親画像内に選択画像を表示する領域を任意に設定し、設定された領域に選択画像領域信号を付加した親画像信号を生成し、親画像および選択画像が表示される画像表示装置に出力するので、選択画像の表示領域を任意に設定することができる。
【００５５】
本発明による画像表示制御方法は、親画像内に選択画像を表示する領域を任意に設定し、設定された領域に選択画像領域信号を付加した親画像信号を生成し、生成された親画像信号に含まれる選択画像領域信号を選択画像領域信号で置き換えるので、親画像領域内の任意の領域に選択画像を表示することができる。
【図面の簡単な説明】
【図１】  実施の形態１による画像表示システムの該略図である。
【図２】  親画像の一例を示す図である。
【図３】  選択画像の一例を示す図である。
【図４】  選択画像領域について説明するための説明図である。
【図５】  合成された親画像および選択画像の一例を示す図である。
【図６】  実施の形態１による画像表示システムの動作のフローチャートである。
【図７】  実施の形態１による画像信号生成装置の構成を示す図である。
【図８】  実施の形態１による画像表示装置の構成を示す図である。
【図９】  入力信号処理手段の構成を示す図である。
【図１０】  実施の形態１による画像表示装置の画像処理部の構成を示す図である。
【図１１】  デジタル画像信号処理手段の構成を示す図である。
【図１２】  選択画像領域の構成の一例を示す図である。
【図１３】  選択画像領域の構成の一例を示す図である。
【図１４】  合成された親画像および選択画像の一例を示す図である。
【図１５】  選択画像領域の構成の一例を示す図である。
【図１６】  合成された親画像および選択画像の一例を示す図である。
【図１７】  実施の形態２による画像表示装置の画像処理部の構成を示す図である。
【図１８】  実施の形態３による画像表示システムの該略図である。
【図１９】  実施の形態３による画像表示装置の構成を示す図である。
【図２０】  実施の形態３による画像表示装置のＲＦ受信手段の構成を示す図である。
【図２１】  実施の形態３による画像表示装置の画像処理部の構成を示す図である。
【図２２】  実施の形態４による画像表示システムの構成を示す図である。
【図２３】  選択画像の一例を示す図である。
【図２４】  選択画像領域の構成の一例を示す図である。
【図２５】  実施の形態４による画像表示装置の構成を示す図である。
【図２６】  合成された親画像および選択画像の一例を示す図である。
【図２７】  実施の形態５による画像信号生成装置の構成を示す図である。
【図２８】  インデックス信号の構成を示す図である。
【図２９】  インデックス信号について説明するための説明図である。
【図３０】  インデックスおよび選択画像領域の構成の一例を示す図である。
【図３１】  実施の形態５による画像表示装置の画像処理部の構成を示す図である。
【図３２】  合成された親画像および選択画像の一例を示す図である。
【図３３】  インデックス信号の構成の一例を示す図である。
【図３４】  インデックス信号の構成の一例を示す図である。
【図３５】  インデックス信号の構成の一例を示す図である。
【図３６】  インデックス信号の構成の一例を示す図である。
【図３７】  インデックスおよび選択画像領域の構成の一例を示す図である。
【図３８】  インデックス信号の構成の一例を示す図である。
【図３９】  インデックスおよび選択画像領域の構成の一例を示す図である。
【図４０】  インデックスおよび選択画像領域の構成の一例を示す図である。
【図４１】  インデックス信号の構成の一例を示す図である。
【図４２】  インデックスの構成の一例を示す図である。
【図４３】  インデックスの構成の一例を示す図である。
【図４４】  画像表示装置の一例を示す図である。
【図４５】  従来の画像表示装置の問題点を説明するための説明図である。
【符号の説明】
１  画像信号生成装置、２  画像表示装置、４  選択画像領域発生手段、５  画像出力手段、６  設定手段、１３  画像処理部、１４  画像表示部、２０  選択画像領域検出手段、２３  画像信号変倍手段、２４  画像信号記憶手段、２５  画像信号合成手段、４４  インデックス信号発生手段。